(57)【要約】【課題】  別途測定装置を接続することなく、ＱｏＳ（Quality of Service）試験に対応した通信装置やこれらを接続するアクセス回線を試験する通信システムに関する。【解決手段】        第１の通信装置から出力される試験フレームが通信回線、第２の通信装置を介して前記第１の通信装置にフィードバックされることにより、前記第１の通信装置又は第２の通信装置の繋ぎ変えをすることなく、これら通信回線、第１の通信装置又は第２の通信装置の試験を行なう通信システムにおいて、  前記通信システムは、通信用のフレームの転送停止と転送開始並びに前記試験フレームの転送開始と転送停止を組み合わせることにより、  前記第２の通信装置のバッファ部の容量を試験するバッファ試験機能、  前記第２の通信装置の優先処理動作を試験するＱｏＳ試験機能、  又は前記第２の通信装置の帯域制御動作を試験する帯域制御試験機能のうち少なくとも１つ以上を有することを特徴とする通信システム。【選択図】                    図１
2006074083.tif 000002
【特許請求の範囲】
【請求項１】
局内通信装置と宅内通信装置が通信回線を介して接続された通信システムにおいて、
前記宅内通信装置に、前記局内通信装置から入力される試験フレームを局内通信装置にフィードバックする手段を設け、
前記局内通信装置と宅内通信装置の繋ぎ変えをすることなく、前記宅内通信装置のバッファ部の容量を試験するバッファ試験機能、前記宅内通信装置の優先処理動作を試験するＱｏＳ試験機能、又は前記宅内通信装置の帯域制御動作を試験する帯域制御試験機能のうち少なくとも１つを行なうことを特徴とする通信システム。
【請求項２】
第１のネットワークに接続される第１の通信装置と第２のネットワークに接続される第２の通信装置を通信回線を介して接続し、これら通信回線、第１の通信装置又は第２の通信装置の試験を行なう通信システムにおいて、
前記第１の通信装置は第２の通信装置に複数の優先順位からなる試験フレームを出力し、前記第２の通信装置はこの試験フレームを優先順位ごとに蓄積して前記第１の通信装置に出力し、前記第１の通信装置はこの試験フレームを検出してＱｏＳを試験することを特徴とする通信システム。
【請求項３】
第１のネットワークに接続される第１の通信装置と第２のネットワークに接続される第２の通信装置を通信回線を介して接続し、これら通信回線、第１の通信装置又は第２の通信装置の試験を行なう通信システムにおいて、
前記第１の通信装置は、前記通信回線を介して前記第２の通信装置に対して試験の開始や終了を内容とする試験制御フレームを出力する試験制御フレーム挿入部と、
前記第２の通信装置に試験フレームを出力する試験フレーム挿入部と、
前記第２の通信装置で折り返された前記試験フレームを検出する試験フレーム検出部と、
この試験フレーム検出部で検出されたフレームを前記試験フレーム挿入部で挿入した試験フレームと対比して通信システムの試験を行なう制御部とを備え、
前記第２の通信装置は、前記第１の通信装置の試験制御フレーム挿入部から出力される試験制御フレームを検出する試験制御フレーム検出部と、
前記試験制御フレーム検出部からの命令に基づいて前記第１の通信装置から入力される試験フレームを前記第１の通信装置に折り返す折り返し部と、
前記折り返し部で折り返された試験フレームを優先順位ごとに蓄える複数のバッファを備えるバッファ部とを備えることを特徴とする通信システム。
【請求項４】
前記第２の通信装置は、前記バッファ部が蓄積するフレーム数を設定し、
前記試験フレーム挿入部は、前記第２の通信装置の前記バッファ部に対して試験フレームを出力し、
前記バッファ部は、前記試験フレーム挿入部から入力された試験フレームを蓄積して前記第１の通信装置の前記試験フレーム検出部に出力し、
前記試験フレーム検出部は、前記バッファ部から出力された試験フレームを検出し、
前記制御部は、前記試験フレーム検出部が検出した試験フレームの数と前記試験フレーム挿入部が出力した試験フレームの数が一致するか判断することにより、前記バッファ部のバッファ容量を試験することを特徴とする請求項３記載の通信システム。
【請求項５】
前記第２の通信装置は、前記バッファ部が蓄積するフレームの最大数を優先順位ごとに設定し、
前記試験フレーム挿入部は、前記第２の通信装置の前記バッファ部に対して複数の優先順位からなる試験フレームを出力し、
前記バッファ部は、この試験フレームを優先順位ごとに蓄積して前記第１の通信装置の前記試験フレーム検出部に出力し、
前記試験フレーム検出部はこれらの試験フレームを検出し、
前記制御部は、試験フレーム検出部が検出した試験フレームと前記試験フレーム挿入部が出力した試験フレームを優先順位ごとに一致するか判断することにより、前記バッファ部のバッファ容量を優先順位ごとに試験することを特徴とする請求項３記載の通信システム。
【請求項６】
前記第２の通信装置は、前記バッファ部が蓄積するフレームの最大数を優先順位ごとに設定し、
前記試験フレーム挿入部は、前記第２の通信装置の前記バッファ部に対して複数の優先順位からなる試験フレームを出力し、
前記バッファ部は、この試験フレームを優先順位ごとに蓄積して前記第１の通信装置の前記試験フレーム検出部に出力し、
前記試験フレーム検出部はこれらの試験フレームを検出し、
前記制御部は、試験フレーム検出部が検出した試験フレームが前記試験フレーム挿入部が出力した試験フレームの優先順位に従って転送されているかを判断することにより、ＱｏＳを試験することを特徴とする請求項３記載の通信システム。
【請求項７】
前記試験フレーム挿入部が前記第２の通信装置の前記バッファ部に対して複数の優先順位からなる試験フレームを出力した時から、前記試験フレーム検出部が前記折り返し部によるループバックにより戻ってきた試験フレームを検出するまでの経過時間と、このループバックにより戻ってきた試験フレームのビット数を求めることにより、シェーピング機能の試験を行なうことを特徴とする請求項６記載の通信システム。
【発明の詳細な説明】
【技術分野】
【０００１】
本発明は、例えばＷＡＮ（Wide  Area  Network）等の通信網とユーザ側のＬＡＮ（Local Area Network）を接続する通信システムに関し、特に別途測定装置を接続することなく、ＱｏＳ（Quality of Service）の試験に対応した通信装置やこれらを接続するアクセス回線を試験する通信システムに関する。
【背景技術】
【０００２】
近年、ＬＡＮ技術をベースとしてＷＡＮが各地域にそれぞれ構築され、これらをさらに基幹網により接続した通信網が全国規模で展開されている。ＬＡＮやＷＡＮを接続する通信装置としては、周知の様にブリッジ、ルータ、ゲートウェイ等が知られている。
【０００３】
ところで、ユーザＬＡＮをＷＡＮに接続するためには、宅内側の終端点まで通信事業者の責任領域が位置付けられているので、通信事業者はその終端点まで保守・点検等の作業をすることが必要とされる。この様な通信システムの保守・点検等を行なう通信システムの文献としては文献１の様なものがある。
【０００４】
【特許文献１】特開２００３−２５８８３３号公報
【０００５】
一方、通信方式の１つとしてＱｏＳの試験を実現し得る優先順位方式がある。この方式はフレームに優先順位を設け、フレームを伝送するものである。例えば、ＶｏＩＰ（Voice  Over  Internet  Protocol）等リアルタイム性が要求され、優先的に転送したい優先データや、ＷＥＢデータ等の多少の遅延が容認される非優先データ等、これらのアプリケーションの種類ごとに優先度が定められている。
【０００６】
また、この優先度の検出に利用されるのがＴＯＳ（Type  of  Service）フィールドである。ＴＯＳフィールドには遅延時間、スループット、信頼性の各種パラメータ（以下、これらの組み合わせを「サービスポリシー」ともいう。）が規定され、ユーザはこれらを組み合わせて種々の設定することができる。優先順位方式を用いた通信システムの先行技術文献としては特許文献２のようなものがある。
【０００７】
【特許文献２】特許第３４５７６３６号公報
【０００８】
以下、図３を参照して従来の通信システムについて説明する。図３（ア）は従来の通信システムの構成図であり、図３（イ）は図３（ア）の通信システムでループ試験を行なう場合の状態遷移図である。
【０００９】
図３（ア）において、局内装置１０は、試験フレーム挿入部１１、試験フレーム検出部１２を備え、宅内装置２０は試験フレーム検出部２１、バッファ部２２を備え、このバッファ部２２は優先バッファ２２ａ、非優先バッファ２２ｂを備える。
【００１０】
試験フレーム挿入部１１は、試験フレームを生成してアクセス回線を介して宅内装置２０に出力する。試験フレーム検出部１２は、バッファ部２２から出力された試験フレームを検出する。試験フレーム検出部２１は試験フレーム挿入部１１からアクセス回線を介して入力された試験フレームを検出する。バッファ部２２は優先順位ごとに試験フレームを蓄える。なお、この様な通信システムは、ループ試験を行なわないときは通信装置として動作する。
【００１１】
次に、図３（ア）の動作を図３（イ）を参照して説明する。局内装置１０は、宅内装置２０に対して試験開始フレームを出力する。宅内装置２０の図示しない制御部は、この試験開始フレームを受け取ると、宅内のユーザインターフェースの手前、すなわち図示しない物理層終端部で局内装置１０から入力されるフレームを再び局内装置１０に折り返す設定をする。
【００１２】
局内装置１０は、図示しない記憶部に予め記憶されている試験フレームのパターンに従って、試験フレーム挿入部１１により試験フレームを挿入し、第１のアクセス回線を介して宅内装置２０に出力する。なお、記憶部に記憶される試験フレームのパターンは、例えばＰＲＢＳパターン等である。
【００１３】
そして、この試験フレームは宅内装置２０で折り返され、第２のアクセス回線を介して局内装置１０に入力され、試験フレーム検出部１２で検出される。局内装置１０の図示しない制御部は、試験フレーム挿入部１１が挿入した所定の転送情報に基づく試験フレームと試験フレーム検出部１２で実際に検出した試験フレームが一致するか判断し、アクセス回線の良否判定を行なう。
【００１４】
次に、図４を用いて、外付けの測定装置を用いて通信システムの試験を行なう方式について説明する。この試験方式における局内装置１０と宅内装置２０は、図３で説明したものと同様なので説明を省略する。この方式では、網側に第１の測定装置が接続され、ユーザ側に第２の測定装置が接続されている。これらの測定装置は、所定のフレームを生成して出力する送信機としての機能と、ネットワークを介して入力されるフレームをキャプチャするフレームキャプチャ装置としての機能とを有する。
【００１５】
次に、図４の動作について説明する。まず、通信事業者は局内装置１０の網側に第１の測定装置を接続し、宅内装置２０のユーザ側に第２の測定装置を接続する。第１の測定装置は、所定のフレームを局内装置１０、第１のアクセス回線、宅内装置２０を介して第２の測定装置に出力する。第２の測定装置は、第１の測定装置が出力したフレームを全てキャプチャする。ただし、回線異常により第１のアクセス回線で失われたフレームは宅内装置２０に入力されないので、第２の測定装置ではキャプチャされない。
【００１６】
第２の測定装置は、優先データ及び非優先データからなる試験フレームを生成し、バッファ部２２に出力する。バッファ部２２は優先データを優先バッファ２２ａに蓄積し、非優先データを２２ｂに蓄積し、第２のアクセス回線、局内装置１０を介してこれら優先データ、非優先データからなる試験フレームを第１の測定装置に出力する。
【００１７】
ここで、第２の測定装置の動作を具体例を挙げて説明する。優先バッファ２２ａで蓄積し得るフレームを５フレームとし、非優先バッファ２２ｂで蓄積し得るフレームも５フレームとした場合において、第２の測定装置から優先データを６フレーム、非優先データを１フレーム出力すると、優先バッファ２２ａの蓄積容量を越えたフレーム（この場合には６フレーム目）はバッファに蓄積されない。そして、このバッファ部２２から出力される５つの優先データからなる試験フレーム、１つの非優先データからなる試験フレームは、第２のアクセス回線、局内装置１０を介して第１の測定装置に入力され、キャプチャされる。
【発明の開示】
【発明が解決しようとする課題】
【００１８】
図３に示す所定の規格に基づくループ試験及び図４の測定装置を用いた試験では、それぞれ次のような利点が存在する。すなわち、所定の規格に基づくループ試験では、宅内装置２０に測定装置を繋げる必要がないので、自動試験が可能である。一方、測定装置を用いた試験では、入力された試験フレームをそのまま取り込むのでＱｏＳに対応した試験が行なえる。また、アクセス回線の上り下りのどちらでフレームが失われるか確認できる。
【００１９】
しかし、所定の規格に基づくループ試験では、試験フレーム挿入部１１が出力した試験フレームが宅内装置２０でループバックされ、戻ってきたかどうか「のみ」を局内装置１０で判断するので、アクセス回線上で試験フレームの順序が入れ替わっても検出することができないという問題点がある。すなわち、フレームの転送順序をも考慮するＱｏＳの試験には対応できない問題点がある。
【００２０】
一方、外付けの測定装置を接続する方法では、通信事業者が宅内装置２０で測定装置を接続しなければならないので、自動試験に対応できず、迅速にアクセス回線の試験ができないという問題点がある。
【００２１】
本発明は、別途測定装置を接続することなく、ＱｏＳの試験に対応した通信装置やこれらを接続するアクセス回線を試験する通信システムを提供することを目的とする。
【課題を解決するための手段】
【００２２】
このような課題を達成するために、本発明のうち請求項１記載の発明は、
局内通信装置と宅内通信装置が通信回線を介して接続された通信システムにおいて、
前記宅内通信装置に、前記局内通信装置から入力される試験フレームを局内通信装置にフィードバックする手段を設け、
前記局内通信装置と宅内通信装置の繋ぎ変えをすることなく、前記宅内通信装置のバッファ部の容量を試験するバッファ試験機能、前記宅内通信装置の優先処理動作を試験するＱｏＳ試験機能、又は前記宅内通信装置の帯域制御動作を試験する帯域制御試験機能のうち少なくとも１つを行なう。
【００２３】
請求項２記載の発明は、
第１のネットワークに接続される第１の通信装置と第２のネットワークに接続される第２の通信装置を通信回線を介して接続し、これら通信回線、第１の通信装置又は第２の通信装置の試験を行なう通信システムにおいて、
前記第１の通信装置は第２の通信装置に複数の優先順位からなる試験フレームを出力し、前記第２の通信装置はこの試験フレームを優先順位ごとに蓄積して前記第１の通信装置に出力し、前記第１の通信装置はこの試験フレームを検出してＱｏＳを試験する。
【００２４】
請求項３記載の発明は、
第１のネットワークに接続される第１の通信装置と第２のネットワークに接続される第２の通信装置を通信回線を介して接続し、これら通信回線、第１の通信装置又は第２の通信装置の試験を行なう通信システムにおいて、
前記第１の通信装置は、前記通信回線を介して前記第２の通信装置に対して試験の開始や終了を内容とする試験制御フレームを出力する試験制御フレーム挿入部と、
前記第２の通信装置に試験フレームを出力する試験フレーム挿入部と、
前記第２の通信装置で折り返された前記試験フレームを検出する試験フレーム検出部と、
この試験フレーム検出部で検出されたフレームを前記試験フレーム挿入部で挿入した試験フレームと対比して通信システムの試験を行なう制御部とを備え、
前記第２の通信装置は、前記第１の通信装置の試験制御フレーム挿入部から出力される試験制御フレームを検出する試験制御フレーム検出部と、
前記試験制御フレーム検出部からの命令に基づいて前記第１の通信装置から入力される試験フレームを前記第１の通信装置に折り返す折り返し部と、
前記折り返し部で折り返された試験フレームを優先順位ごとに蓄える複数のバッファを備えるバッファ部とを備える。
【００２５】
請求項４記載の発明は、請求項３記載の発明において、
前記第２の通信装置は、前記バッファ部が蓄積するフレーム数を設定し、
前記試験フレーム挿入部は、前記第２の通信装置の前記バッファ部に対して試験フレームを出力し、
前記バッファ部は、前記試験フレーム挿入部から入力された試験フレームを蓄積して前記第１の通信装置の前記試験フレーム検出部に出力し、
前記試験フレーム検出部は、前記バッファ部から出力された試験フレームを検出し、
前記制御部は、前記試験フレーム検出部が検出した試験フレームの数と前記試験フレーム挿入部が出力した試験フレームの数が一致するか判断することにより、前記バッファ部のバッファ容量を試験する。
【００２６】
請求項５記載の発明は、請求項３記載の発明において、
前記第２の通信装置は、前記バッファ部が蓄積するフレームの最大数を優先順位ごとに設定し、
前記試験フレーム挿入部は、前記第２の通信装置の前記バッファ部に対して複数の優先順位からなる試験フレームを出力し、
前記バッファ部は、この試験フレームを優先順位ごとに蓄積して前記第１の通信装置の前記試験フレーム検出部に出力し、
前記試験フレーム検出部はこれらの試験フレームを検出し、
前記制御部は、試験フレーム検出部が検出した試験フレームと前記試験フレーム挿入部が出力した試験フレームを優先順位ごとに一致するか判断することにより、前記バッファ部のバッファ容量を優先順位ごとに試験する。
【００２７】
請求項６記載の発明は、請求項３記載の発明において、
前記第２の通信装置は、前記バッファ部が蓄積するフレームの最大数を優先順位ごとに設定し、
前記試験フレーム挿入部は、前記第２の通信装置の前記バッファ部に対して複数の優先順位からなる試験フレームを出力し、
前記バッファ部は、この試験フレームを優先順位ごとに蓄積して前記第１の通信装置の前記試験フレーム検出部に出力し、
前記試験フレーム検出部はこれらの試験フレームを検出し、
前記制御部は、試験フレーム検出部が検出した試験フレームが前記試験フレーム挿入部が出力した試験フレームの優先順位に従って転送されているかを判断することにより、ＱｏＳを試験する。
【００２８】
請求項７記載の発明は、請求項６記載の発明において、
前記試験フレーム挿入部が前記第２の通信装置の前記バッファ部に対して複数の優先順位からなる試験フレームを出力した時から、前記試験フレーム検出部が前記折り返し部によるループバックにより戻ってきた試験フレームを検出するまでの経過時間と、このループバックにより戻ってきた試験フレームのビット数を求めることにより、シェーピング機能の試験を行なう。
【発明の効果】
【００２９】
本発明では、次のような効果がある。
宅内通信装置に、局内通信装置から入力される試験フレームを局内通信装置にフィードバックする手段を設けたので、宅内装置の繋ぎ替えをしないで、宅内通信装置のバッファ部の容量を試験するバッファ試験機能、宅内通信装置の優先処理動作を試験するＱｏＳ試験機能、又は宅内通信装置の帯域制御動作を試験する帯域制御試験機能のうち少なくとも１つを行なえる。
【００３０】
優先順位を設定したフレームを試験フレームとしているので、別途測定装置を接続しなくてもＱｏＳを試験することができる。
【００３１】
また、試験制御フレームにより通信用フレームをバッファ部からクリアするので、通信装置のバッファ容量について試験できる。
【００３２】
また、優先バッファ、非優先バッファごとに試験フレームを蓄積し、優先順位ごとに試験フレームを比較するので、優先度に応じたバッファ部の試験ができる。また、試験フレームの優先順位に従って転送されているかを確認するので、ＱｏＳの試験を行なえる。さらに、経過時間と試験フレームのビット数をカウントするので、帯域制限を考慮したシェーピング機能を確認できる。  
【発明を実施するための最良の形態】
【００３３】
以下、図面を用いて本発明の実施形態を説明する。図１は本発明の通信システムの一実施例を示した構成図である。図１において、局内装置１００は網側に接続される。宅内装置２００はユーザ側のネットワーク（例えば、ＬＡＮ）に接続され、局内装置１００と宅内装置２００はアクセス回線で接続される。
【００３４】
次に、局内装置１００の具体的構成について説明する。局内装置１００は、試験フレーム挿入部１１０、試験制御フレーム挿入部１２０、試験フレーム検出部１３０、制御部１４０を備える。
【００３５】
試験フレーム挿入部１１０は、試験フレームを生成してアクセス回線を介して宅内装置２００に出力する。ここでの試験フレームのパターンには、ＰＲＢＳパターンの他、優先度情報が含まれる。
【００３６】
試験制御フレーム挿入部１２０は、通信システムの試験を制御する試験制御フレームをアクセス回線を介して宅内装置２００に出力する。ここで、試験制御フレームとは、通信システムの試験開始や試験終了等の命令を内容とするフレームをいう。試験フレーム検出部１３０は、バッファ部２３０から出力される試験フレームを検出する。制御部１４０は、試験制御フレーム挿入部１２０に対して通信システムの試験を開始する旨の信号を出力したり、試験フレーム検出部１３０が検出した試験フレームと試験フレーム挿入部１１０が挿入した試験フレームが一致するか判断したりして、通信システム全体を制御する。
【００３７】
宅内装置２００の具体的構成について説明する。宅内装置２００は、試験制御フレーム検出部２１０、折り返し部２２０、バッファ部２３０を備え、バッファ部２３０は優先バッファ２３０ａ、非優先バッファ２３０ｂを備える。試験制御フレーム検出部２１０は、試験制御フレーム挿入部１２０からアクセス回線を介して入力された試験制御フレームを検出する。折り返し部２２０は、宅内装置のユーザインターフェースの手前、すなわち図示しない物理層終端部で局内装置１００から入力されるフレームを再び局内装置１００に折り返す。
【００３８】
次に、図１の全体的な動作を説明する。なお、試験の種類により動作の一部が異なるので、全体的な動作と異なる部分については後述し、図１の補足的な動作を図２を用いて説明する。試験制御フレーム挿入部１１０は、制御部１４０からの命令に基づいて宅内装置２００に対して試験開始を内容とする試験制御フレームを出力する（符号ａ）。試験制御フレーム検出部２１０はこの試験開始を内容とする試験制御フレームを検出し（符号ｂ）、折り返し部２２０に対して折り返し信号を出力する（符号ｃ）。
【００３９】
試験制御フレーム挿入部１１０は、宅内装置２００に対して局内装置１００へのフレームの転送停止を内容とする試験制御フレームを出力する（符号ｄ）。試験制御フレーム検出部２１０は、このフレーム転送停止を内容とする試験制御フレームを検出し、バッファ部２３０に対して転送停止信号を出力する（符号ｅ）。バッファ部２３０は、複数のバッファに蓄積された通信用のフレームをクリアする（符号ｆ）。なお、この動作によりバッファ容量の確認が可能となる。
【００４０】
試験フレーム挿入部１１０は、宅内装置２００に対してアクセス回線を介して任意の試験フレームを出力し（符号ｇ）、この任意の試験フレームは折り返し部２２０で折り返され、バッファ部２３０に蓄積される（符号ｈ）。試験制御フレーム挿入部１２０は、宅内装置２００に対してバッファ部２３０に蓄積された試験フレームをアクセス回線を介して局内装置１００に出力する旨の試験制御フレームを出力する（符号ｉ）。
【００４１】
試験制御フレーム検出部２１０は、この試験制御フレームを検出してバッファ部２３０に転送開始信号を出力する（符号ｊ）。バッファ部２３０は、この転送開始信号を受けて優先順位ごとに蓄積された試験フレームを局内装置に出力する（符号ｋ）。
【００４２】
試験フレーム検出部１３０は、これらの試験フレームを検出し（符号ｌ）、制御部１４０は、フレーム検出部１３０が検出したフレームと試験フレーム挿入部１１０が挿入した試験フレームを比較して試験を行なう（符号ｍ）。
【００４３】
次に、バッファ容量の試験について説明する。ここで、図１の通信システムの全体的な動作と重複する部分については説明を省略する。まず、宅内装置２００のバッファ部２３０の容量を例えば１０フレームに設定する。試験フレーム挿入部１１０は、試験フレームを転送する際、すなわち符号ｇの状態で試験フレームを例えば１５フレーム転送する。バッファ部２３０の容量は１０フレームに定められているため、１１フレーム目から１５フレーム目はバッファ部２３０に蓄積されない。
【００４４】
そして、バッファ部２３０は、試験制御フレーム挿入部１２０から蓄積された試験フレームを出力する旨の命令を受けると（符号ｉ）、蓄積された試験フレームをアクセス回線に出力する。そして、試験フレーム検出部１３０により試験フレームが検出され（符号ｌ）、制御部１４０は当該１０フレームについての情報を受け取り（符号ｍ）、宅内装置２００のバッファ部２３０の容量が１０フレームに定められていることを確認する。
【００４５】
このように、バッファ部２３０に蓄積されている通信用フレームをクリアするので、バッファ部２３０の容量を試験できる。
【００４６】
次に、ＱｏＳ試験を実現し得る優先処理動作の確認方法について説明する。例えば、バッファ部２３０は、優先バッファ２３０ａで蓄積し得るフレーム５フレームとし、非優先バッファ２３０ｂで蓄積し得るフレームも５フレームとする。局内装置１００の試験フレーム挿入部１１０は、優先データからなる試験フレームを６フレーム、非優先データからなる試験フレームを１フレーム出力する（符号ｇ）。
【００４７】
優先バッファ２３０ａの蓄積容量を越えたフレーム（この場合には６フレーム目）はバッファに蓄積されない。そして、このバッファ部２３０から出力される５つの優先データからなる試験フレーム、１つの非優先データからなる試験フレームは、第２のアクセス回線を介して試験フレーム検出部１３０で検出され（符号ｌ）、制御部１４０により優先順位どおりに試験フレームが転送されているか、すなわち優先データからなる５つの試験フレームが「先」に検出され、非優先データからなる１つのフレームが「後」に検出されていることを確認する（符号ｍ）。
【００４８】
このように、優先バッファ２３０ａ、非優先バッファ２３０ｂごとに試験フレームを蓄積し、優先順位ごとに試験フレームを比較するので、優先度に応じたバッファ部２３０の試験ができる。さらに、試験フレームの優先順位に従って試験フレームが転送されているかを確認するので、ＱｏＳの試験を行なえる。
【００４９】
次に、宅内装置２００のシェーピング機能の確認方法について図２を参照して説明する。ここで、シェーピング機能とは、アクセス回線の帯域を越えるようなトラフィックが発生することが予測される際に、フレーム損失が発生しないように、局内装置２００（送信側）からのフレームの転送速度を遅らせる等の転送制御を行なうことをいう。
【００５０】
まず、優先バッファ２３０ａ及び非優先バッファ２３０ｂの容量を例えばそれぞれ５フレームに設定し、転送停止信号によりバッファ部２３０からの試験フレームの転送を停止する。試験フレーム挿入部１１０は、優先バッファ２３０ａ及び非優先バッファ２３０ｂが全て埋まるように試験フレームを出力する（符号ｇ）。試験制御フレーム検出部２１０は、この試験制御フレームを検出してバッファ部２３０に転送開始信号を出力する（符号ｊ）。局内装置１００の制御部１４０は、内蔵する図示しないカウンタによりこの状態から経過時間をカウントする。
【００５１】
バッファ部２３０は、サービスポリシーに従って優先バッファ２３０ａ、非優先バッファ２３０ｂから優先又は非優先データからなる試験フレームを出力する（符号ｋ）。図２イでは、優先バッファ２３０ａが優先データを３フレーム出力し、非優先バッファ２３０ｂが非優先データを１フレーム出力している。そして、検出部１３０は、優先又は非優先データからなる試験フレームを検出して（符号ｌ、図２ウ）制御部１４０にその旨を出力し、制御部は符号ｊから試験フレーム検出部１３０から試験フレームを検出した旨の信号が入力されるまでの経過時間をカウンタにより求め、シェーピング機能が正しく動作されているかどうかを確認する。
【００５２】
すなわち、転送開始（符合ｊ）から試験フレーム検出（符号ｍ）までの経過時間と試験フレームのビット数を確認することにより、バッファ部２３０の優先度に応じてレートを計算することができる。なお、レートの計算式は以下のとおりである。
レート＝（優先度ごとの）試験フレームのビット数／経過時間
【００５３】
このように、経過時間と試験フレームのビット数をカウントするので、帯域制限を考慮したシェーピング機能を確認できる。
【００５４】
なお、本実施例ではフレームの優先度が優先、非優先の２種類により説明したが、３種類以上であっても差し支えない。
【図面の簡単な説明】
【００５５】
【図１】本発明の通信システムの一実施例を示した構成図である。
【図２】図１の動作を補足するための状態遷移図である。
【図３】（ア）は従来の通信システムの一実施例を示した構成図であり、（イ）は（ア）の通信システムでループ試験を行なう場合の状態遷移図である。
【図４】外付けの測定装置を用いて通信システムの試験を行なう場合のブロック図である。
【符号の説明】
【００５６】
１００              局内装置
１１０              試験フレーム挿入部
１２０              試験制御フレーム挿入部
１３０              試験フレーム検出部
１４０              制御部
２００              宅内装置
２１０              試験制御フレーム検出部
２２０              折り返し部
２３０              バッファ部
２３０ａ            優先バッファ
２３０ｂ            非優先バッファ
【図１】
2006074083.tif 000003
【図２】
2006074083.tif 000004
【図３】
2006074083.tif 000005
【図４】
2006074083.tif 000006